【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
少なくとも１つのアクセス部位及び取付部材を備えるハウジングと、
対応する取付部材で前記ハウジングに固定される本体部材と、
近位端及び遠位端を有する剛性アームであって、前記近位端と前記遠位端の間で前記本体部材に結合される剛性アームと、
前記剛性アームに加重する可撓性部材と、
前記剛性アームの前記遠位端に固定され、前記アクセス部位を覆うカバー部材であって、前記剛性アームの変位によって前記アクセス部位から協働状態で変位可能なカバー部材と、を備える、
流体コネクタ。
【請求項２】
前記本体部材が、前記取付部材の周囲で旋回可能である、
請求項１に記載の流体コネクタ。
【請求項３】
前記カバー部材が、無菌処理に効果的な作用物を含む、
請求項１に記載の流体コネクタ。
【請求項４】
少なくとも１つの流体アクセス部位及び取付部材を備えるハウジングと、
対応する取付部材で前記ハウジングに固定される本体部材と、
近位端及び遠位端を有する剛性アームであって、前記近位端と前記遠位端の間で前記本体部材に結合される剛性アームと、
前記近位端と前記遠位端の間で前記剛性アームに加重するエラストマー部材と、
前記剛性アームの前記遠位端と一体で、前記アクセス部位を覆うカバー部材であって、前記剛性アームの変位によって前記アクセス部位から変位可能なカバー部材と、を備える、
流体コネクタ。
【請求項５】
前記エラストマー材料が、前記本体部材の少なくとも一部又は前記本体部材及び前記剛性アームと一体である、
請求項４に記載の流体コネクタ。
【請求項６】
前記本体部材が、前記取付部材の周囲で旋回可能である、
請求項４に記載の流体コネクタ。
【請求項７】
前記エラストマー材料が、前記剛性アームに加重する、
請求項４に記載の流体コネク。
【請求項８】
前記カバー部材が、エラストマー材料を備える、
請求項４に記載の流体コネクタ。
【請求項９】
前記アクセス部位が、メスコネクタである、
請求項４に記載の流体コネクタ。
【請求項１０】
前記アクセス部位が、貫通可能な隔壁である、
請求項４に記載の流体コネクタ。
【請求項１１】
前記カバー部材が、無菌処理に効果的な作用物を含む、
請求項４に記載の流体コネクタ。
【請求項１２】
流体コネクタのアクセス部位を無菌状態で覆う方法であって、
ハウジング及び少なくとも１つのアクセス部位と、剛性部材と、前記剛性部材に協働状態で接続され、前記アクセス部位とカバー関係にあるカバー部材であって、前記アクセス部位の近傍に無菌処理に効果的な材料を含むカバー部材と、を備える流体コネクタを提供する工程を含む、
方法。
【請求項１３】
前記無菌処理に効果的な材料が、抗菌剤である、
請求項１２に記載の方法。
【請求項１４】
前記カバー部材が前記アクセス部位とのカバー関係で受動的に保持されるように、前記カバー部材が荷重を受ける、
請求項１２に記載の方法。
【請求項１５】
前記アクセス部位が、メスコネクタである、
請求項１２に記載の方法。
【請求項１６】
前記アクセス部位が、貫通可能な隔壁である、
請求項１２に記載の方法。
【請求項１７】
アクセス部位を有するハウジングと、
近位端及び遠位端を有する剛性アームと、
前記剛性アームの前記近位端と前記遠位端の間で前記剛性アームを前記ハウジングに結合する可撓性部材と、
前記剛性アームの前記遠位端と一体で、前記アクセス部位を覆うように配置されたカバー部材であって、前記剛性アームが変位すると、アクセス部位を覆う初期位置から前記アクセス部位のカバーを取る第２の位置へと変位可能であるカバー部材と、を備える、
流体コネクタ。
【請求項１８】
前記アクセス部位が、メスコネクタである、
請求項１７に記載の流体コネクタ。
【請求項１９】
前記アクセス部位が、貫通可能な隔壁である、
請求項１７に記載の流体コネクタ。
【請求項２０】
前記可撓性部材が、前記剛性アームに荷重を提供する、
請求項１７に記載の流体コネクタ。
【請求項２１】
前記荷重が、前記カバー部材を前記第２の位置から前記初期位置へと変位させる、
請求項２０に記載の流体コネクタ。
【請求項２２】
前記カバー部材が、無菌処理に効果的な作用物を含む、
請求項１７に記載の流体コネクタ。
【請求項２３】
アクセス部位を有する流体コネクタに固定可能な本体部材と、
近位端及び遠位端を有する剛性アームと、
前記剛性アームの前記近位端と前記遠位端の間で前記剛性アームを前記本体部材に結合する可撓性部材と、
前記剛性アームの前記遠位端と一体で、前記コネクタの前記アクセス部位を覆うように配置されたカバー部材であって、前記剛性アームの前記近位端が変位すると、前記アクセス部位を覆う初期位置から前記アクセス部位のカバーを取る第２の位置へと変位可能であるカバー部材と、を備える、
カバーアダプタ。
【請求項２４】
前記カバー部材が、無菌処理に効果的な作用物を含む、
請求項２３に記載のカバーアダプタ。
【請求項２５】
アクセス部位を有する流体コネクタを少なくとも部分的に囲むことができる本体部材と、
近位端及び遠位端を有する剛性アームと、
前記近位端と前記遠位端の間で前記剛性アームを前記本体部分に結合し、前記剛性アームに荷重を提供する可撓性部材と、
前記剛性アームの前記遠位端と一体で、前記コネクタの前記アクセス部位を覆うように配置されたカバー部材であって、前記剛性アームが変位すると、前記アクセス部位を覆う初期位置から前記アクセス部位のカバーを取る第２の位置へと協働状態で変位可能であるカバー部材と、を備える、
カバーアダプタ。
【請求項２６】
前記カバー部材が、無菌処理に効果的な作用物を含む、
請求項２５に記載のカバーアダプタ。
【請求項２７】
少なくとも１つの流体アクセス部位及び取付部材を有するハウジングと、
対応する取付部材で前記ハウジングに固定される本体部材と、
近位端及び遠位端を有する剛性アームであって、前記近位端と前記遠位端の間で前記本体部材に結合された剛性アームと、
前記本体部材に固定され、前記ハウジングを少なくとも部分的に囲む可撓性部材であって、前記剛性アームに荷重を提供する可撓性部材と、
前記剛性アームの前記遠位端に固定され、前記アクセス部位を覆うカバー部材と、
を備える、
流体コネクタ。
【請求項２８】
前記可撓性部材が、前記剛性アームに荷重を提供する、
請求項２７に記載の流体コネクタ。
【請求項２９】
前記カバー部材が、無菌処理に効果的な作用物を含む、
請求項２７に記載の流体コネクタ。
【請求項３０】
流体コネクタに固定可能な取付部材を有する本体部材と、
近位端及び遠位端を有する剛性アームであって、前記近位端と前記遠位端の間で前記本体に結合された剛性アームと、
前記本体部材に固定され、前記流体コネクタを少なくとも部分的に囲む可撓性部材であって、前記剛性アームに荷重を提供することができる可撓性部材と、
前記剛性アームの前記遠位端に固定され、前記アクセス部位を覆うように配置されたカバー部材と、を備える、
カバーアダプタ。
【請求項３１】
前記カバー部材が、無菌処理に効果的な作用物を含む、
請求項３０に記載のカバーアダプタ。
【請求項３２】
少なくとも１つのアクセス部位及び対応する取付部材を有する流体コネクタハウジングに固定可能な取付部材を備える本体部材と、
近位端及び遠位端を有する剛性アームであって、前記近位端と前記遠位端の間で前記本体部材に結合される剛性アームと、
前記剛性アームに加重するエラストマー部材と、
前記剛性アームの前記遠位端に固定され、前記アクセス部位を覆うように配置されたカバー部材と、を備える、
カバーアダプタ。
【請求項３３】
前記エラストマー材料が、前記本体部材の少なくとも一部又は前記本体部材及び前記剛性アームと一体である、
請求項３２に記載のカバーアダプタ。
【請求項３４】
前記カバー部材が、エラストマー材料を備える、
請求項３２に記載のカバーアダプタ。
【請求項３５】
前記アクセス部位が、メスコネクタである、
請求項３２に記載のカバーアダプタ。
【請求項３６】
前記アクセス部位が、貫通可能な隔壁である、
請求項３２に記載のカバーアダプタ。
【請求項３７】
前記カバー部材が、無菌処理に効果的な作用物を含む、
請求項３２に記載のカバーアダプタ。
【請求項３８】
流体コネクタのハウジングであって、
アクセス部位と、
前記ハウジング上に配置された取付部材と、
前記ハウジング上に配置された少なくとも１つのハウジング保持部材と、を備え、
前記取付部材と前記少なくとも１つのハウジング保持部材とが、協働でカバーアダプタを受け、前記カバーアダプタが、
前記ハウジングに固定可能な対応する取付部材を有する本体部材と、
前記本体部材に結合され、前記少なくとも１つのハウジング保持部材によって固定可能な可撓性部材と、
近位端及び遠位端を有する剛性部材であって、前記近位端と前記遠位端の間で前記本体部材に結合された剛性部材と、
前記剛性アームの前記遠位端に固定され、前記アクセス部位を覆うように配置されたカバー部材と、を備える、
ハウジング。
【請求項３９】
前記可撓性部材が、エラストマー材料を備える、
請求項３８に記載のハウジング。
【請求項４０】
前記カバー部材が、エラストマー材料を備える、
請求項３８に記載のハウジング。
【請求項４１】
前記アクセス部位が、メスコネクタである、
請求項３８に記載のハウジング。
【請求項４２】
前記アクセス部位が、貫通可能な隔壁である、
請求項３８に記載のハウジング。
【請求項４３】
前記カバー部材が、無菌処理に効果的な作用物を含む、
請求項３８に記載のハウジング。
【請求項４４】
流体コネクタのアクセス部位の汚染を防止するか又は無くす方法であって、
ハウジング及び少なくとも１つのアクセス部位と、剛性部材と、前記剛性部材に協働状態で接続されたカバー部材と、を備える流体コネクタを提供する工程と、
前記アクセス部位と前記カバー部材の間にカバー関係を提供する工程と、を含む、
方法。
【請求項４５】
前記カバー部材が前記アクセス部位とのカバー関係で受動的に保持されるように、前記カバー部材が荷重を受ける、
請求項４４に記載の方法。
【請求項４６】
前記カバー部材が、エラストマー材料を備える、
請求項４４に記載の方法。
【請求項４７】
前記カバー部材が、無菌処理に効果的な材料を備える、
請求項４４に記載の方法。
【請求項４８】
前記アクセス部位が、メスコネクタである、
請求項４４に記載の方法。
【請求項４９】
前記アクセス部位が、貫通可能な隔壁である、
請求項４４に記載の方法。
【請求項５０】
前記カバー部材が、エラストマー材料を備える、
請求項４４に記載の方法。
【請求項５１】
前記剛性部材が、エラストマー材料を備える、
請求項４４に記載の方法。
【請求項５２】
アクセス部位を備えるハウジングと、
前記アクセス部位と初期カバー関係で受動的に配置されたカバー部材と、を備え、
前記カバーが、荷重を受けるカバーなしの関係から初期カバー関係へと実質的に可逆性である、
流体コネクタ。
【請求項５３】
前記カバー部材が、無菌処理に効果的な作用物を含む、
請求項５２に記載の流体コネクタ。
【請求項５４】
少なくとも１つのアクセス部位を備えるハウジングと、
近位端及び遠位端を有する可撓性アームであって、前記遠位端が前記ハウジングに固定される可撓性アームと、
前記可撓性アームの前記遠位端に固定されるカバー部材であって、前記可撓性アームの前記遠位端の周囲で回転可能であり、抗菌剤を含むカバー部材と、を備え、
前記可撓性アームは、前記カバー部材が前記アクセス部位を覆うことができるほど十分な長さである、
流体コネクタ。
【請求項５５】
少なくとも１つのアクセス部位を備えるハウジングと、
近位端及び遠位端を有する可撓性アームであって、前記近位端が前記ハウジングに接続し、自身の前記近位端が前記ハウジングの周囲で回転可能である可撓性アームと、
前記可撓性アームの前記遠位端に固定されるカバー部材であって、抗菌剤を含むカバー部材と、を備え、
前記可撓性アームは、前記カバー部材が前記アクセス部位を覆うことができるほど十分な長さである、
流体コネクタ。